(57)【要約】【課題】サーバから取得した付帯情報に含まれなかった項目に関する情報についても利用者に提供することを可能とする。【解決手段】記憶部３３は、付帯情報を記憶する。システム制御部３７は、ＤＩＣＯＭ画像サーバ２００から送信される付帯情報を取得する。システム制御部３7は、取得した付帯情報に含まれた少なくとも１つの項目の情報に関連し且つ取得した付帯情報に含まれなかった項目に関連した情報を記憶部３３から抽出する。システム制御部３７は、取得し付帯情報に含まれた情報と抽出した情報とを表した表示画像を生成する。【選択図】      図１
2008206687.tif 000002
【特許請求の範囲】
【請求項１】
被検体に関する医用画像を表した医用画像情報を生成する医用画像生成部と、
複数項目のそれぞれについての前記医用画像に関する情報を含む付帯情報を生成する付帯情報生成部と、
前記付帯情報生成部により生成された前記付帯情報を記憶する記憶部と、
前記医用画像生成部により生成された前記医用画像情報と前記付帯情報生成部により生成された前記付帯情報とを前記サーバに送信する送信部と、
前記サーバから送信される付帯情報を取得する取得部と、
前記取得部によって取得された前記付帯情報に含まれた少なくとも１つの項目の情報に関連し且つ前記取得部によって取得された前記付帯情報に含まれなかった項目に関連した情報を前記記憶部から抽出する抽出部と、
前記取得部によって取得された前記付帯情報に含まれた情報と前記抽出部によって抽出された前記情報とを表した表示画像を生成する表示画像生成部と、
を具備する医用画像診断装置。
【請求項２】
前記表示画像を表示する表示部をさらに備えることを特徴とする請求項１記載の医用画像診断装置。
【請求項３】
前記取得部は、ＤＩＣＯＭ規格に準拠したサーバから送信される前記付帯情報を取得することを特徴とする請求項１記載の医用画像診断装置。
【請求項４】
前記表示画像生成部は、前記取得部によって取得された前記付帯情報に含まれる情報と前記抽出部によって抽出された前記情報とを区別可能に表す画像として前記表示画像を生成することを特徴とする請求項１記載の医用画像診断装置。
【請求項５】
被検体に関する医用画像を表した医用画像情報を生成する医用画像生成部と、
複数項目のそれぞれについての前記医用画像情報に関する情報を含む付帯情報を生成する付帯情報生成部と、
前記付帯情報生成部により生成された前記付帯情報を記憶する記憶部と、
前記医用画像生成部により生成された前記医用画像情報と前記付帯情報生成部により生成された前記付帯情報とを前記サーバに送信する送信部と、
利用者からの要求に応じて医用画像情報の送信を前記サーバに要求する要求部と、
前記要求部による前記要求に応じて前記サーバから送信された医用画像情報及びこれに付帯して前記サーバから送信された付帯情報をそれぞれ取得する取得部と、
前記取得部によって取得された前記付帯情報に含まれた少なくとも１つの項目の情報に関連し且つ前記取得部によって取得された前記付帯情報に含まれなかった項目に関連した情報を前記記憶部から抽出する抽出部と、
前記取得部によって取得された前記付帯情報に含まれた情報と前記抽出部によって抽出された前記情報とを表した表示画像を生成する表示画像生成部と、
前記取得部によって取得された前記医用画像情報が表す医用画像と前記表示画像とを表示する表示部と、
を具備する医用画像診断装置。
【請求項６】
医用画像の付帯情報を記憶する記憶部と、
サーバから送信される付帯情報を取得する取得部と、
前記取得部によって取得された前記付帯情報に含まれた少なくとも１つの項目の情報に関連し且つ前記取得部によって取得された前記付帯情報に含まれなかった項目に関連した情報を前記記憶部から抽出する抽出部と、
前記取得部によって取得された前記付帯情報に含まれた情報と前記抽出部によって抽出された前記情報とを表した表示画像を生成する表示画像生成部と、
を具備する医用画像の付帯情報処理装置。
【請求項７】
前記表示画像を表示する表示部をさらに備えることを特徴とする請求項６記載の医用画像の付帯情報処理装置。
【請求項８】
前記取得部は、ＤＩＣＯＭ規格に準拠したサーバから送信される前記付帯情報を取得することを特徴とする請求項６記載の医用画像の付帯情報処理装置。
【請求項９】
前記表示画像生成部は、前記取得部によって取得された前記付帯情報に含まれる情報と前記抽出部によって抽出された前記情報とを区別可能に表す画像として前記表示画像を生成することを特徴とする請求項６記載の医用画像の付帯情報処理装置。
【発明の詳細な説明】
【技術分野】
【０００１】
本発明は、医用画像情報に付帯される付帯情報を処理する医用画像診断装置及び医用画像の付帯情報処理装置に関する。
【背景技術】
【０００２】
各種の医用画像診断装置（モダリティ）で生成された医用画像には、当該医用画像に関する患者ＩＤ、患者氏名、検査日時等の複数の項目に関する情報を含む付帯情報が付帯されている。医用画像情報及び付帯情報のデータ量は大きいので、画像サーバ等にて記憶・管理されている。また、医用画像情報及び付帯情報は、画像サーバでなく外付け等の種々の記憶媒体に記憶・管理される場合もある。
【０００３】
これら医用画像情報及び付帯情報のオンライン通信や記憶媒体への記憶には、その標準規格であるＤＩＣＯＭ（Digital  Imaging  and  COmmunications  in  Medicine）規格に則って行われることが多い。本規格に則って医用画像情報及び付帯情報のフォーマットや通信のプロトコルを設定することにより、各種医用画像診断装置で生成された医用画像情報及び付帯情報や、メーカの異なる医用画像診断装置で生成された医用画像情報及び付帯情報を、共通に管理することが可能となる。
【０００４】
利用者が、ＤＩＣＯＭ規格に準拠した画像サーバに保存されている医用画像情報及びその付帯情報を取得しようとする際には、ＤＩＣＯＭ規格で規定されているＱｕｅｒｙ／Ｒｅｔｒｉｅｖｅというプロトコルを使用する。付帯情報の項目は多数存在するために、ＤＩＣＯＭ規格においては、要求に対して必ず送信しなければならない項目を最小限のみ規定する。それ以外の項目は、画像サーバ毎に送信するか否かが設定される。このため画像サーバは、送信すべきとして定められている項目（画像サーバがサポートしている項目）に関する情報のみしかない。換言すれば、利用者は画像サーバがサポートしている項目に関する情報のみしか取得・閲覧することができない。
【発明の開示】
【発明が解決しようとする課題】
【０００５】
本発明の目的は、サーバから取得した付帯情報に含まれなかった項目に関する情報についても利用者に提供することを可能とする医用画像診断装置及び医用画像の付帯情報処理装置を提供することにある。
【課題を解決するための手段】
【０００６】
請求項１記載の発明に係わる医用画像診断装置は、被検体に関する医用画像を表した医用画像情報を生成する医用画像生成部と、複数項目のそれぞれについての前記医用画像に関する情報を含む付帯情報を生成する付帯情報生成部と、前記付帯情報生成部により生成された前記付帯情報を記憶する記憶部と、前記医用画像生成部により生成された前記医用画像情報と前記付帯情報生成部により生成された前記付帯情報とを前記サーバに送信する送信部と、前記サーバから送信される付帯情報を取得する取得部と、前記取得部によって取得された前記付帯情報に含まれた少なくとも１つの項目の情報に関連し且つ前記取得部によって取得された前記付帯情報に含まれなかった項目に関連した情報を前記記憶部から抽出する抽出部と、前記取得部によって取得された前記付帯情報に含まれた情報と前記抽出部によって抽出された前記情報とを表した表示画像を生成する表示画像生成部と、を具備する。
【０００７】
請求項５記載の発明に係わる医用画像診断装置は、被検体に関する医用画像を表した医用画像情報を生成する医用画像生成部と、複数項目のそれぞれについての前記医用画像情報に関する情報を含む付帯情報を生成する付帯情報生成部と、前記付帯情報生成部により生成された前記付帯情報を記憶する記憶部と、前記医用画像生成部により生成された前記医用画像情報と前記付帯情報生成部により生成された前記付帯情報とを前記サーバに送信する送信部と、利用者からの要求に応じて医用画像情報の送信を前記サーバに要求する要求部と、前記要求部による前記要求に応じて前記サーバから送信された医用画像情報及びこれに付帯して前記サーバから送信された付帯情報をそれぞれ取得する取得部と、前記取得部によって取得された前記付帯情報に含まれた少なくとも１つの項目の情報に関連し且つ前記取得部によって取得された前記付帯情報に含まれなかった項目に関連した情報を前記記憶部から抽出する抽出部と、前記取得部によって取得された前記付帯情報に含まれた情報と前記抽出部によって抽出された前記情報とを表した表示画像を生成する表示画像生成部と、前記取得部によって取得された前記医用画像情報が表す医用画像と前記表示画像とを表示する表示部と、を具備する。
【０００８】
請求項６記載の発明に係わる医用画像の付帯情報処理装置は、医用画像の付帯情報を記憶する記憶部と、サーバから送信される付帯情報を取得する取得部と、前記取得部によって取得された前記付帯情報に含まれた少なくとも１つの項目の情報に関連し且つ前記取得部によって取得された前記付帯情報に含まれなかった項目に関連した情報を前記記憶部から抽出する抽出部と、前記取得部によって取得された前記付帯情報に含まれた情報と前記抽出部によって抽出された前記情報とを表した表示画像を生成する表示画像生成部と、を具備する。
【発明の効果】
【０００９】
本発明によれば、サーバから取得した付帯情報に含まれなかった項目に関する情報についても利用者に提供することが可能となる。
【発明を実施するための最良の形態】
【００１０】
以下、図面を参照しながら本発明の実施形態を説明する。
【００１１】
図１は、本発明の実施形態に係わるＸ線ＣＴ（Computed  Tomography）装置１の構成を示す図である。図１に示すように、Ｘ線ＣＴ装置１は、スキャン装置１０とコンピュータ装置２０とを備える。なお、スキャン装置１０には、Ｘ線管とＸ線検出器とが１体となって被検体の周囲を回転する回転／回転（ＲＯＴＡＴＥ／ＲＯＴＡＴＥ）タイプや、リング状に多数の検出素子がアレイされ、Ｘ線管のみが被検体の周囲を回転する固定／回転（ＳＴＡＴＩＯＮＡＲＹ／ＲＯＴＡＴＥ）タイプ等様々なタイプがあるが、いずれのタイプでも本発明は適用可能である。本実施形態においては回転／回転タイプとして説明する。
【００１２】
スキャン装置１０は架台（ガントリ）１１を有する。架台１１は、円環又は円板状の回転フレーム１２を回転可能に支持する。回転フレーム１２は、撮影領域中に天板１３に載置された被検体Ｐを挟んで対向するようにＸ線管１４とＸ線検出器１５とを有する。回転フレーム駆動部１６は、回転フレーム１２を一定の角速度で連続回転させる。Ｘ線管１４は、高電圧発生部１７からの高電圧の印加とフィラメント電流の供給を受けてＸ線を発生する。Ｘ線検出器１５には、データ収集部（ＤＡＳ；Data  Acquisition  System）１８が接続される。データ収集部１８は、Ｘ線検出器１５の各チャンネルの電流信号を収集する。データ収集部１８は、収集した電流信号をデジタル信号に変換する。変換されたデジタル信号は純生データと呼ばれる。純生データは、データ収集部１８によって光や磁気を使った非接触型又はスリップリング型のデータ伝送部（図示せず）を経由してコンピュータ装置２０に供給される。
【００１３】
コンピュータ装置２０は、ネットワーク通信機能を有し、ネットワーク１００を介してＤＩＣＯＭ規格に準拠した画像サーバ（以下、ＤＩＣＯＭ画像サーバと呼ぶことにする）２００と通信可能である。
【００１４】
コンピュータ装置２０は、前処理部２１、医用画像生成部２３、付帯情報生成部２５、通信部２７、操作部２９、表示部３１、記憶部３３、スキャン制御部３５、システム制御部３７を備える。以下、個々の構成要素について説明する。
【００１５】
前処理部２１は、純生データに対して、チャンネル間の感度不均一の補正、また主に金属部等のＸ線強吸収体による極端な信号強度の低下又は信号脱落の補正等の前処理を行う。
【００１６】
医用画像生成部２３は、前処理部２１により補正を受けたデータ（投影データ、生データ）に基づいて、被検体に関する医用画像を表す医用画像情報を生成する。
【００１７】
付帯情報生成部２５は、医用画像情報に付帯される付帯情報を生成する。付帯情報は、検査日時、患者ＩＤ、患者氏名、生年月日、性別、撮影条件、妊娠、診察番号等の各項目（属性）に関する情報をそれぞれ含む。
【００１８】
通信部２７は、ネットワーク１００を介してＤＩＣＯＭ画像サーバ２００と通信する。
【００１９】
操作部２９は、操作者が表示部３１に表示された画像リストを見ながら取得したい医用画像及びその付帯情報の項目を入力する（取得要求の入力）ために備えられる。
【００２０】
画像リストは、ＤＩＣＯＭ画像サーバ２００に記憶されている全ての医用画像情報やその付帯情報の一覧である。
【００２１】
表示部３１は、ＣＲＴ（Cathode  Ray  Tube）又はＬＣＤ（Liquid  Crystal  Display）等からなる。表示部３１は、ＤＩＣＯＭ画像サーバ２００から取得された画像リスト、医用画像、及び後述する表示画像等を表示する。なお、表示部３１をＸ線ＣＴ装置１には内蔵させず、表示部３１で行っている表示を、外部の表示デバイスや、ネットワーク１００を介してＸ線ＣＴ装置１と通信可能な別の装置に内蔵又は外付けされた表示デバイス等にて行わせるとしてもよい。
【００２２】
記憶部３３は、付帯情報、表示画像を表す情報、或いは後述する各種処理を行うためのプログラム等を記憶する。
【００２３】
スキャン制御部３５は、回転フレーム駆動部１６、高電圧発生部１７及び架台１１内の各部を制御する。
【００２４】
システム制御部３７は、Ｘ線ＣＴ装置１としての動作を実現するように各構成要素を制御する。システム制御部３７は、既存のＸ線ＣＴ装置が備える各種の機能を実現するための制御機能に加えて、書き込み機能、送信機能、要求機能、取得機能、抽出機能及び表示画像生成機能を備える。システム制御部３７は、例えばＣＰＵ及びメモリを含み、記憶部３３からプログラム読み出して上記メモリ上に展開し、このプログラムに従った処理を上記ＣＰＵが実行することによって、これらの各機能を実現する。以下、各機能について説明する。
【００２５】
書き込み機能によりシステム制御部３７は、付帯情報生成部２５で生成された全ての付帯情報を記憶部３３に書き込む。
【００２６】
送信機能によりシステム制御部３７は、医用画像情報及び付帯情報をＤＩＣＯＭ画像サーバ２００に送信する。
【００２７】
要求機能によりシステム制御部３７は、操作部２９で入力された取得要求をＤＩＣＯＭ画像サーバ２００に送信する。
【００２８】
取得機能によりシステム制御部３７は、取得要求に応じてＤＩＣＯＭ画像サーバ２００が送信する医用画像情報及び付帯情報を取得する。
【００２９】
抽出機能によりシステム制御部３７は、ＤＩＣＯＭ画像サーバ２００から取得した付帯情報に含まれる情報に関連し、且つＤＩＣＯＭ画像サーバ２００から取得できなかった項目に関連した情報を、記憶部３３に記憶されている付帯情報から抽出する。
【００３０】
表示画像生成機能によりシステム制御部３７は、ＤＩＣＯＭ画像サーバ２００から取得した付帯情報に含まれる情報と記憶部３３から抽出した情報とを表した表示画像を生成する。
【００３１】
以下、図２を参照しながら、医用画像情報の生成からＤＩＣＯＭ画像サーバ２００への医用画像情報及びその付帯情報の送信までの一動作例を説明する。
【００３２】
ステップＳＡ１においてシステム制御部３７は、被検体に関する医用画像を生成するために前処理部２１、医用画像生成部２３及びスキャン制御部３５に撮影指令を送信する。この撮影指令に応じてスキャン制御部３５は、被検体Ｐに関する純生データをデータ収集部１８に収集するように回転フレーム駆動部１６、高電圧発生部１７及び架台１０内の各部の動作を制御する。撮影指令に応じて前処理部２１は、データ収集部１８により収集された純生データを前処理し、投影データを生成する。撮影指令に応じて医用画像生成部２３は、前処理部２１により生成された投影データに基づいて医用画像情報を生成する。
【００３３】
ステップＳＡ２においてシステム制御部３７は、付帯情報を生成するために付帯情報生成部２５に付帯情報生成指令を送信する。付帯情報生成指令に応じて付帯情報生成部２５は、被検体に関する付帯情報を生成する。生成される付帯情報は、例えば、検査日時、患者ＩＤ、患者氏名、生年月日、性別、撮影条件、妊娠、診察番号、患者の身長・体重、撮影部位、モダリティの種類及び主治医師名等の各項目に関する情報である。
【００３４】
ステップＳＡ３においてシステム制御部３７は、ステップＳＡ２にて生成された付帯情報を記憶部３３に書き込む。記憶部３３での付帯情報の記憶は、Ｘ線ＣＴ装置１又は記憶部３３固有のフォーマットで行っても良いし、ＤＩＣＯＭ規格に準拠したフォーマットで行っても良い。
【００３５】
ステップＳＡ４においてシステム制御部３７は、ステップＳＡ１にて生成された医用画像情報及びステップＳＡ２にて生成された付帯情報を通信部２７を介してＤＩＣＯＭ画像サーバ２００に送信する。送信された医用画像情報及びその付帯情報は、例えば、ＤＩＣＯＭ規格に準拠したフォーマットで、ＤＩＣＯＭ画像サーバ２００によって管理される。
【００３６】
次に、図３を参照しながら、取得要求の入力から表示画像の表示までの一動作例を説明する。
【００３７】
利用者が画像リストを参照するために医用画像情報の取得を要求する操作を操作部２９にて行った場合に、システム制御部３７は図３に示す処理を実行する。
【００３８】
ステップＳＢ１においてシステム制御部３７は、操作部２９での上記の操作に応じて、利用者が取得を要求している医用画像情報及びその付帯情報の項目を判定する。ここで受け付ける要求は、一人の患者に関してでも複数の患者に関してでも構わない。ただし説明の簡単のため、ここでは、氏名が「Ａ」である一人の患者についての医用画像情報及びその付帯情報の取得が要求されたこととする。またここでは、取得が要求された付帯情報の項目は、患者氏名、患者ＩＤ、患者生年月日、患者性別、検査日時、撮影条件、妊娠及び診察番号とする。
【００３９】
ステップＳＢ２においてシステム制御部３７は、ステップＳＢ１で判定した医用画像情報及び付帯情報の項目を示した取得要求を通信部２７を介してＤＩＣＯＭ画像サーバ２００に送信する。この取得要求の送信は、ＤＩＣＯＭ  Ｑｕｅｒｙ／Ｒｅｔｒｉｅｖｅプロトコル（以下、ＤＩＣＯＭ  Ｑ／Ｒプロトコルと呼ぶことにする）に基づくＱｕｅｒｙ要求として行う。
【００４０】
この取得要求を受けるとＤＩＣＯＭ画像サーバ２００は、この取得要求に従って医用画像情報及び付帯情報をＱｕｅｒｙ応答として送信する。ただし、ＤＩＣＯＭ画像サーバ２００は、要求された付帯情報の項目のうちでＤＩＣＯＭ画像サーバ２００がサポートしている項目に関する情報のみを送信する付帯情報に含める。
【００４１】
図４は、今回要求した付帯情報の項目についてのＤＩＣＯＭ画像サーバ２００でのサポート状況の一例を示す図である。この例では、「患者氏名」、「患者ＩＤ」、「生年月日」及び「性別」なる各項目は、ＤＩＣＯＭ画像サーバ２００によってサポートされているが、「検査日時」、「撮影条件」、「妊娠」及び「診察番号」なる各項目は、ＤＩＣＯＭ画像サーバ２００によってサポートされていない。
【００４２】
図５は、上記の条件下でＤＩＣＯＭ画像サーバ２００が送信する付帯情報の具体例を示す図である。この付帯情報は、ＤＩＣＯＭ画像サーバ２００がサポートしている項目、つまり、患者氏名、患者ＩＤ、患者生年月日及び性別の各項目に関して、「Ａ」、「４５６７８９」、「１９８２／１／１２」、「女」なる各データがそれぞれ含まれている。なお、このように付帯情報に含まれた各項目に関するデータのことを以下では、項目データと呼ぶことにする。
【００４３】
ステップＳＢ３においてシステム制御部３７は、上述のようにＤＩＣＯＭ画像サーバ２００から送信された医用画像情報及び付帯情報を通信部２７を介して取得する。
【００４４】
ステップＳＢ４においてシステム制御部３７は、ＤＩＣＯＭ画像サーバ２００に対して要求した全ての項目に関する項目データがステップＳＢ２にて取得した付帯情報に全て含まれているか否かを確認する。
【００４５】
ここで含まれていると判断したならばシステム制御部３７は、ステップＳＢ４からステップＳＢ５へ進む。ステップＳＢ５においてシステム制御部３７は、ステップＳＢ３にて取得した医用画像情報及び付帯情報に基づいて表示画像を生成する。
【００４６】
ステップＳＢ４にて含まれていと判断したならば、システム制御部３７は、ステップＳＢ４からステップＳＢ６へ進む。ステップＳＢ６においてシステム制御部３７は、ステップＳＢ３にて取得した付帯情報に含まれる少なくとも１つの項目データを識別情報として、記憶部３３に記憶されている複数の付帯情報から、識別情報を含んだ付帯情報を特定する。
【００４７】
識別情報としては、ステップＳＢ３にて取得した付帯情報に含まれた項目データのいずれを使用しても良い。ただし識別情報としては、記憶部３３に記憶されている付帯情報からステップＳＢ３にて取得した医用画像情報に対応するものを識別するのに適する項目データを用いることが望ましい。一般的に患者ＩＤや患者氏名についての項目データは、必ずしも患者と１対１に対応するとは言えないので、それらの項目データを単独で用いるよりも、患者ＩＤと患者氏名との項目データの組み合わせを用いる方が好適である。もちろん、それ以外の項目についての項目データの組み合わせを識別情報としてもよい。また、２つの項目データの組み合わせでなく、３つ、４つ或いはそれ以上の項目データの組み合わせを識別情報としてもよい。なお、どの項目についての項目データを識別情報にするかは、予め定められているとしても、利用者によってその都度任意に決定されてもよい。
【００４８】
ステップＳＢ７においてシステム制御部３７は、ステップＳＢ６にて特定した付帯情報から、取得要求したにも係わらずステップＳＢ６にて取得した付帯情報に含まれなかった項目に関する項目データ（ＤＩＣＯＭ画像サーバ２００がサポートしていない項目に関する項目データ）を記憶部３３から抽出する。
【００４９】
ステップＳＢ６及びステップＳＢ７の処理を具体的に説明する。ここでは一例として識別情報を、患者氏名に関する項目データと患者ＩＤに関する項目データとの組み合わせとする。すなわちここでは、識別情報は、「Ａ」及び「４５６７８９」となる。まずシステム制御部３７は、記憶部３３から識別情報（「Ａ」及び「４５６７８９」）を含んだ付帯情報を特定する。次に、システム制御部３７は、ステップＳＢ３にて取得した付帯情報に含まれなかった項目に関する項目データ、すなわち検査日時、撮影条件、妊娠及び診察番号の各項目に関する項目データとして例えば「２００６／１１／１６」、「＊＊＊＊」、「×」及び「１２３４５６」を記憶部３３からそれぞれ抽出する。
【００５０】
ステップＳＢ８においてシステム制御部３７は、ステップＳＢ３にて取得した医用画像情報と、ステップＳＢ３にて取得した付帯情報に含まれる項目データと、ステップＳＢ７にて抽出した項目データとに基づいて表示画像を生成する。表示画像の一例としては、医用画像情報が表す医用画像と、ステップＳＢ３にて取得した項目データ及びステップＳＢ７にて抽出した項目データを結合（マージ）するとともに各項目データの項目名を表した付帯情報の一覧表とを含む。
【００５１】
図６は、ステップＳＢ８で生成された表示画像に含まれる付帯情報の一覧表の一例を示す図である。図６に示す一覧表には、ＤＩＣＯＭ画像サーバ２００がサポートしている項目ＫＳ（患者氏名、患者ＩＤ、生年月日及び性別）とＤＩＣＯＭ画像サーバ２００がサポートしていない項目ＫＯ（検査日時、撮影条件、妊娠及び診察番号）とに関する項目データが含まれる。
【００５２】
なおシステム制御部３７は、ステップＳＢ３にて取得した付帯情報に含まれる項目データとステップＳＢ７にて抽出した項目データとを区別可能に示した一覧表を表す表示画像を生成してもよい。図７は、このような一覧表の一例を示した図である。図７に示す一覧表は、ステップＳＢ３にて取得した付帯情報に含まれる項目データ及びその項目名に関する枠内の部分（ＤＳ）と、ステップＳＢ７にて抽出した項目データ及びその項目名に関する枠内の部分（ＤＯ）とを異なる色で示している。なお、ステップＳＢ３にて取得した付帯情報に含まれる項目データとステップＳＢ７にて抽出した項目データとを区別可能とする方法は、上記の方法に限定する必要はなく、例えば、項目がサポートされているか否かによってその項目名及びその項目に関する項目データの文字の色、太さ或いは形状を変えたり、文字をブリンクさせたりしてもよい。また、項目名や項目データに関する枠を、サポートの有無によって、色、太さ或いは形状等を変えてもよい。
【００５３】
システム制御部３７は、ステップＳＢ５又はステップＳＢ８にて表示画像を生成し終えると、各ステップからステップＳＢ９へ進む。ステップＳＢ９においてシステム制御部３７は、ステップＳＢ５又はステップＳＢ８で生成した表示画像を表示部３１に表示させる。
【００５４】
かくして、ＤＩＣＯＭ画像サーバ２００から取得した付帯情報に含まれなかった項目に関する項目データについても利用者に提供することが可能となる。
【００５５】
なお、本発明は上記実施形態そのままに限定されるものではなく、実施段階ではその要旨を逸脱しない範囲で構成要素を変形して具体化できる。具体的な変形例としては、例えば次のようなものがある。
【００５６】
（１）本実施形態では、説明の簡単のため、医用画像診断装置の一例としてＸ線ＣＴ装置１を用いた。しかしながら、これに拘泥される必要はなく、医用画像診断装置として、Ｘ線撮影装置、ＭＲＩ（Magnetic  Resonance  Imaging）装置、超音波診断装置、ガンマカメラ或いはＰＥＴ（Positron  Emission  Tomography）等であってもよい。それら医用画像診断装置は、被検体に関する画像データを収集する構成要素、その画像データに基づいて医用画像情報を生成する構成要素、付帯情報生成部２５、通信部２７、操作部２９、表示部３１、記憶部３３及びシステム制御部３７を備える。
【００５７】
（２）図３に示した処理を実現するための装置として、図１に示すような、本実施形態に係る通信部２７、操作部２９、表示部３１、記憶部３３及びシステム制御部３７を備える医用画像の付帯情報処理装置を用いてもよい。医用画像の付帯情報処理装置におけるシステム制御部３７は、少なくとも要求機能、取得機能、抽出機能及び表示画像生成機能を備える。
【００５８】
（３）上記実施形態では、ネットワーク規格の一例としてＤＩＣＯＭ規格を用いるとした。しかし、これに拘泥される必要はなく、他のネットワーク規格を用いるとしてもよい。
【００５９】
また、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００６０】
【図１】本発明の実施形態に係わる医用画像診断装置の構成を示す図。
【図２】本実施形態に係わる、医用画像情報の生成からＤＩＣＯＭ画像サーバへの医用画像情報及びその付帯情報の送信までの一動作例を示す図。
【図３】本実施形態に係わる取得要求の送信から表示画像の表示までの処理の一動作例を説明する図。
【図４】本実施形態に係わる、付帯情報の各項目についてのＤＩＣＯＭ画像サーバでのサポート状況の一例を示す図。
【図５】図３の動作例においてＤＩＣＯＭ画像サーバが送信する付帯情報の具体例を示す図
【図６】ステップＳＢ８で生成された表示画像に含まれる付帯情報の一覧表の一例を示す図。
【図７】図６とは異なり、ＤＩＣＯＭ画像サーバから取得した項目データと記憶部から抽出した項目データとを区別可能に示す一覧表の一例を示す図。
【符号の説明】
【００６１】
１…Ｘ線ＣＴ装置、１０…スキャン装置、２０…コンピュータ装置、２１…前処理部、２３…医用画像生成部、２５…付帯情報生成部、２７…通信部、２９…操作部、３１…表示部、３３…記憶部、３５…スキャン制御部、３７…システム制御部、１００…ネットワーク、２００…ＤＩＣＯＭ画像サーバ。
【図１】
2008206687.tif 000003
【図２】
2008206687.tif 000004
【図３】
2008206687.tif 000005
【図４】
2008206687.tif 000006
【図５】
2008206687.tif 000007
【図６】
2008206687.tif 000008
【図７】
2008206687.tif 000009